(57)【要約】【解決課題】  本発明は、種々のタイプの車椅子に簡単に取り付けられて、前後の長さと高さの調節が容易で、車椅子を折りたたむ際にも邪魔にならない車椅子用の折り畳み式転倒防止装置を提供する。【解決手段】  車椅子の主車輪の後部に着設する転倒防止機構であって、着設位置を調節するための複数個のネジ孔を有する基板１１と、不使用時には上に折り畳み可能に回動自在に前記基板１１に軸着されたパイプ１４と、係止ピンによって長さの調節が可能にそ一方端が前記パイプ１４に嵌挿された支持フレーム１６と、この支持フレーム１６の他方端に高さ調節可能に小車輪１９を有する車軸１８が連結されていることを特徴とする車椅子用の折り畳み式転倒防止装置１００とした。【選択図】図１
2006175131.tif 000002
【特許請求の範囲】
【請求項１】
車椅子の主車輪の後部に着設する転倒防止装置であって、着設位置を調節するための複数個のネジ孔を有する基板と、不使用時には上に折り畳み可能に回動自在に前記基板に軸着されたパイプと、係止ピンによって長さの調節が可能にその一方端が前記パイプに嵌挿された支持フレームと、該支持フレームの他方端に高さ調節可能に小車輪を有する車軸が連結されていることを特徴とする車椅子用の折り畳み式転倒防止装置。
【請求項２】
回動自在に軸着されたパイプはペタルによって折り畳み可能であり、パイプが過剰に折り畳まれて破損するのを防止するためのストッパー用のピンが着設されていることを特徴とする請求項１に記載の車椅子用の折り畳み式転倒防止装置。
【発明の詳細な説明】
【技術分野】
【０００１】
本発明は、主車輪と前部にキャスターとの上に座部と背もたれを有する車椅子の主車輪の後部に取着するための車椅子用の折り畳み式転倒防止装置に関する。
【背景技術】
【０００２】
車椅子の後部に取着する転倒防止用の装置は、車椅子が段差を乗り越えるときや、車椅子の背もたれを後方に倒してリクライニングにした場合など、車椅子の重心を後方に移したときに、後方に転倒しないように取着する。このように車椅子の転倒防止装置は車椅子に必須のものではなく、オプションで装着されるもので、種々の形態のものが考案されている。例えば、特許文献１の転倒防止装置は、車椅子が傾倒するとその傾倒を防止する方向への支持力を発生し、該支持力によって車椅子の転倒を防止する車椅子の転倒防止装置であって、車椅子の傾倒角度が増加するに従い前記支持力が増加することを特徴とする車椅子の転倒防止装置が開示されている。
【０００３】
特許文献２の転倒防止装置は、車体の後部から後方に向かって延出する転倒防止バーを備え、前記転倒防止バーの一端を略鉛直方向を軸中心として回動可能に支持して該転倒防止バーが転倒防止機能位置と収納位置を取り得るようにした車椅子の転倒防止装置において、前記転倒防止バーを転倒防止機能位置に固定するための固定手段と、前記転倒防止バーの収納位置方向の回動と略同方向の操作によって前記固定手段による転倒防止バーの固定を解除する解除手段を設けたことを特徴とする転倒防止装置が開示されている。
【０００４】
特許文献３の転倒防止機構は、略鉛直方向に延びて下端にキャスターが旋回自在に固定される固定ロッドと、一端が固定ロッドに回動可能に軸着されるとともに他端が車椅子の背面パイプに回動可能に軸着される支持アームと、一端が固定ロッドに回動可能に軸着されるとともに他端が車椅子の上方の部材に回動可能に軸着される伸縮部材とを備えた車椅子の転倒防止機構が開示されている。
【０００５】
特許文献４の転倒防止装置は、ブラケットと、このブラケットに回動可能に取り付けた取り付け軸部とこの取り付け軸部から斜め下方に延びた支え脚部とを形成する転倒防止脚を備え、前記ブラケットは、車椅子のバックパイプと前記ティッピングレバーとに渡って取り付ける取り付け部を有し、前記支え脚部が、前記取り付け軸部よりも後方位置となる転倒防止位置と前記取り付け軸部よりも前方位置となる収納位置とに回動可能であることを特徴とする車椅子用転倒防止装置が開示されている。
【０００６】
特許文献５の転倒防止装置は、フレームの後部に後方に延びる一対の脚・をそれぞれ鉛直面内で、回転自在なるように枢着し、該脚・の先端部に方向が自由にかえられる後方補助輪を設け、該フレームの後側下部に該脚・の下側に延びる延長・部を設け、該延長・部に前記脚・よりも上部まで延びる第１リンクを前記脚・と同一面内で、回転自在なるように枢着し、該第１リンクの該脚・よりも上部まで延びる部分に外債２リングよりも短い第２リンクの上端部を枢着し、該第２リンクの下端部を前記脚・に枢着し、ハンドル操作により第１リンクを回転させることで第２リンクにより前記脚・が下方に押し下げられ、該第２リンクと脚・との枢着部が第１リンクを僅かに交差することにより前記後方補助輪を下降状態に保持し前記主車輪が接地面から浮上状態に保たれるようにしたことを特徴としている。
【０００７】
しかし、上記特許文献に開示されている転倒防止装置は、車椅子を収納するときに転倒防止装置を内側に折り畳むために、収納時の幅が制限される等の問題点があった。車椅子に簡単に取り付けられて、前後の長さや高さの調節が容易でしかも収納時に邪魔にならない車椅子の転倒防止装置の出現が望まれていた。
【特許文献１】特開２００１ー２０４７６７号公報
【特許文献２】特開２００１−２２４６３６号公報
【特許文献３】特開２００１−３１４４５０号公報
【特許文献４】特開２００３−１２６１７４号公報
【特許文献５】特開２００４−２９０２７５号公報
【発明の開示】
【発明が解決しようとする課題】
【０００８】
本発明は、種々のタイプの車椅子に簡単に取り付けられて、前後の長さと高さの調節が容易で、車椅子を折りたたむ際にも邪魔にならない車椅子用の折り畳み式転倒防止装置を提供する。
【課題を解決するための手段】
【０００９】
上記課題を解決するために鋭意検討を重ねた結果、様々な車椅子に取着できるように基板を作成し、この基板に転倒防止用の小車輪を長さと高さの調節ができるように着設する構造として課題を解決した。
【００１０】
本発明の第１の特徴は、車椅子の主車輪の後部に着設する転倒防止機構であって、着設位置を調節するための複数個のネジ孔を有する基板と、不使用時には上に折り畳み可能に回動自在に前記基板に軸着されたパイプと、係止ピンによって長さの調節が可能にその一方端が前記パイプに嵌挿された支持フレームと、該支持フレームの他方端に高さ調節可能に小車輪を有する車軸が連結されていることを特徴とする車椅子用の折り畳み式転倒防止装置である。基板を車椅子の後部フレームに取着するためのネジ孔を少なくとも２つ以上穿設して、車椅子のフレームへの着設位置を前後に調節できるようにした。さらに、基板に取着板でパイプを取り付けて、このパイプが上下に軸動可能になるよう取着板を軸着して不使用時は上げて置くことができるようにした。さらに、前後に長さ調節ができるように複数個の孔が穿設された支持フレームの一方端を取着板で基板に軸着したパイプに嵌挿した。支持フレームの他方端に小車輪を有する車軸を上下の高さの調節が可能なようにネジで連結した。本発明の車椅子用の折り畳み式転倒防止装置を着設する場合に、着設する車椅子に合わせて、基板、支持フレーム、車軸のそれぞれについて、着設位置、長さ、及び上下の調節を可能にした。
【００１１】
本発明の第２の特徴は、回動自在に軸着されたパイプはペタルによって折り畳み可能であり、パイプが過剰に折り畳まれて破損するのを防止するためのストッパー用のピンが着設されていることを特徴とする請求項１に記載の車椅子用の折り畳み式転倒防止装置である。本発明の車椅子用の折り畳み式転倒防止装置を使用しない場合は、上部に折り畳たむことができる。転倒防止装置を折り畳んで不使用の状態にする場合と折り畳んだ転倒防止装置を下げて使用状態にする場合には、バネが付勢されたペタルを足で踏むことによって、簡単に転倒防止装置を上げたり、下げたりすることができる。また、ペタルによって転倒防止装置のパイプを折り畳んだとき、パイプが過剰に折り畳まれて破損するのを防止するためのストッパー用のピンを着設した。
【発明の効果】
【００１２】
本発明の車椅子用の折り畳み式転倒防止装置は、複数個のネジ孔を設けた基板を用いたことによって、様々な大きさの車椅子に対応できるようになった。また、基板に取着したパイプに長さ調節用のピン孔が穿設された支持フレームの一方端を嵌挿して、ピンを脱抜して適当な位置に穿設したピン孔にピンを挿入することによって、支持フレームの長さが簡単に調節できるようになった。さらに、支持フレームの他方端に車軸を挿入する挿嵌部を着設して車軸の長さを調節して、ネジで固定することにより、小車輪の高さが容易に調節できるようになった。このように、前後の長さと高さを調節できるようにしたことによって、本発明の車椅子用の折り畳み式転倒防止装置を装着できる車椅子の種類が増えた。
【発明を実施するための最良の形態】
【００１３】
本発明の車椅子用の折り畳み式転倒防止装置の形態を以下に図面を用いて詳細に説明するが、本発明の車椅子用の折り畳み式転倒防止装置は以下の実施例に限定されるものではない。
【００１４】
本発明の車椅子の主車輪の後部に着設する折り畳み式転倒防止装置１００は、図１に示すように、着設位置を調節するための複数個のネジ孔１２を有する基板１１と、該基板１１には係止ピン１５によって支持フレーム１６の長さを調節することができるパイプ１４が着設されている。基板１１に着設されたパイプ１４は、不使用時にはペタル１３を踏んで、上に折り畳むことができるように回動自在に軸着されている。このパイプ１４に長さ調節用の孔が穿設された支持フレーム１６の一方端を嵌挿し、この支持フレーム１６の他方端に小車輪１９を有する高さ調節が可能な車軸１８が連結された形状を有している車椅子用の折り畳み式転倒防止装置１００である。さらに、本発明の車椅子用の折り畳み式転倒防止装置１００には、パイプ１４を折り畳むためのペダル１３とパイプ１４に過剰の力が加わっても耐えられるように、取着板２０の後方でパイプ１４を受け止められるように、基板１１にストッパー用のピン２１を着設した。
【００１５】
図２は、基板１１の側面を示す。図中１１ａはペタルを踏んで小車輪１９を上に上げたとき、ペタル１３の係止部１３ｂが係合する位置である。小車輪１９を下げたとき、すなわち、折り畳み式転倒防止装置１００の使用中の状態においては、ペタル１３の係止部１３ｂが１１ｂに係合している。基板の１１ｃはバネを付勢した取着板２０を軸着する位置を示す。基板の２１はパイプ１４を下に降ろしたときに過剰の力が加わった時に耐えられるように、緩衝用のピンが着設されている。基板の１２は車椅子の後部フレームに取着するためのネジ孔１２で、ネジ孔１２の着設位置で前後に調節できるように３つのネジ孔１２が穿設されている。穿設するネジ孔１２は３つに限定されることはなく、基板の強度を損なわない程度に増減させることができる。
【００１６】
図３は取着板２０とパイプ１４の構造を示す。図３の（３−１）は取着板２０を固着したパイプ１４の上面図を示している。取着板２０は、パイプ１４の一方側に固着した。１４ａはパイプ１４に支持フレーム１６を嵌挿してパイプ１４に支持フレーム１６を係止する係止ピン１５の挿入孔である。図３の（３−２）は取着板２０を固着したパイプ１４の正面図である。図３の（３−３）は取着板２０を固着したパイプ１４の側面図を示している。取着板２０の孔２０ａはペタル１３を回動可能に軸着するネジ孔であり、２０ｂは基板１１のネジ孔１１ｃに回動可能に軸着するネジ孔である。図３の（３−４）はバネ２２の側面図であり、図３の（３−５）はバネ２２の上面図を示している。このバネ２２は取着板２０にペタル１３を回動可能に軸着するときに付勢するバネ２２である。ここで付勢するバネ２２はバネのネジ孔２２ａの位置と取着板のネジ孔２０ａとを合わせてペタル１３を回動可能に軸着する。
【００１７】
図４はペダル１３の形状を示す。図４の（４−１）はペダル１３の上面を示している。図４の（４−２）の側面図に示すペタルの孔１３ａは取着板２０のネジ孔２０ａに回動自在に軸着するネジ孔１３ａである。図３の（３−３）に示す取着板２０の孔２０ａと合致させてバネ２２を付勢して回動自在に軸着する。ペタル１３の先端の係止部１３ｂは図２に示す基板１１の係止部１１ａ、または１１ｂに係合する。図４の（４−３）はペタル１３の正面図を示している。ペタル１３の形状はここで示す形状に限定されるものではない。また、踏みつける方法だけではなく、爪先で引っかける方法等も採用することができる。
【００１８】
図５はパイプ１４に嵌挿する支持フレーム１６である。支持フレーム１６の一方端には、孔１６ａの位置で前後の長さが調節できるように、ピンを挿入する孔１６ａが複数個穿設されている。適当な位置でパイプ１４の孔と支持フレームの孔１６ａの位置を合致させて係止ピンのピンを貫通させてパイプ１４に支持フレーム１６を固定する。支持フレーム１６の他方端には車軸１８を固定する挿嵌部１６ｂがあり、挿嵌部１６ｂに車軸１８を挿入して、下部に小車輪１９を有する車軸１８を適当な高さに調節して、ネジ孔１６ｃでネジを締め付けて、車軸１８を支持フレーム１６に固定する。
【００１９】
図６は、係止ピン１５の形状を示す。図６の（６−２）に示すように係止ピン１５は開口部１５ｆを有する狭持部１５ａと、狭持部１５ａの一方端の軸着部１５ｂにピン１５ｃが回動自在に軸着されている。また、図６の（６−１）に示すように狭持部１５ａのピン１５ｃの当接部にピン１５ｃの先端部が入るピン孔１５ｄが穿設されている。さらに、図６の（６−２）、および図６の（６−３）に示すように、ピン１５ｃを脱抜する際に狭持部１５を起こすときに摘む縁端部１５ｅ、パイプ１４を跨るように嵌め込むための開口部１５ｆよりなっている。
【００２０】
図７は、本発明の車椅子用の折り畳み式転倒防止装置１００を取着した車椅子を示す。本発明の車椅子用の折り畳み式転倒防止装置１００を主車輪３１の後部の後部フレーム３２に基板１１を取着して、その基板１１にパイプ１４を着設した取着板２０を軸着した。この取着板２０に取り付けたパイプ１４を上に折り畳むと、図７に示すように小車輪１９を有する車軸１８は上向きになって、車椅子用の折り畳み式転倒防止装置１００が折り畳まれた状態となる。本発明の車椅子用の折り畳み式転倒防止装置１００は幅が小さいので、転倒防止装置１００を折り畳んだ状態で車椅子の巾を折り畳むことができる。
【００２１】
図８は、本発明の車椅子用の折り畳み式転倒防止装置１００を取着した車椅子を示す。本発明の車椅子用の折り畳み式転倒防止装置１００を下げると、小車輪１９を有する車軸１８は下向きとなって、転倒防止装置１００の転倒防止機能が使用可能な状態となる。本発明の車椅子用の折り畳み式転倒防止装置１００はペタル１３を踏むことによって、転倒防止装置１００を簡単に折り畳んだり、使用可能な状態にすることができる。
【図面の簡単な説明】
【００２２】
【図１】車椅子用の折り畳み式転倒防止装置の側面図である。
【図２】基板の側面図である。
【図３】取着板とパイプの側面図である。
【図４】ペタルの側面図である。
【図５】支持フレームと車軸の側面図である。
【図６】支持フレームの長さ調節用の係止ピンの側面図である。
【図７】車椅子用の折り畳み式転倒防止装置を取着した車椅子の側面図である。
【図８】車椅子用の折り畳み式転倒防止装置を取着した車椅子の側面図である。
【符号の説明】
【００２３】
１００：車椅子用の折り畳み式転倒防止装置
１１：基板
１２：ネジ孔
１３：ペタル
１４：パイプ
１５：係止ピン
１６：支持フレーム
１７：調節ネジ
１８：車軸
１９：小車輪
２０：取着板
２１：ストッパー用のピン
２２：バネ
３０：車椅子
３１：主車輪
３２：後部フレーム
【図１】
2006175131.tif 000003
【図２】
2006175131.tif 000004
【図３】
2006175131.tif 000005
【図４】
2006175131.tif 000006
【図５】
2006175131.tif 000007
【図６】
2006175131.tif 000008
【図７】
2006175131.tif 000009
【図８】
2006175131.tif 000010